(57)【要約】【課題】  本発明は、従来にない作用効果を発揮する画期的な壁面洗浄装置を提供することを目的とする。【解決手段】  建築物の壁面１を洗浄するためのものであって、基体３の表面部には回動する洗浄ブラシ４が設けられ、また、基体３の裏面部には握持部２が設けられ、洗浄ブラシ４の周囲にはカバー体５が設けられ、洗浄ブラシ４の洗浄作用部はカバー体５の先端開口部５ａより前方に突出するように構成されたものである。【選択図】      図１
2005169261.tif 000002
【特許請求の範囲】
【請求項１】
建築物の壁面を洗浄するためのものであって、基体の表面部には回動する洗浄ブラシが設けられ、また、基体の裏面部には握持部が設けられ、洗浄ブラシの周囲にはカバー体が設けられ、洗浄ブラシの洗浄作用部はカバー体の先端開口部より前方に突出するように構成されていることを特徴とする壁面洗浄装置。
【請求項２】
建築物の壁面を洗浄するためのものであって、基体の表面部には回動する洗浄ブラシが設けられ、また、基体の裏面部には握持部が設けられ、洗浄ブラシの周囲にはカバー体が設けられ、このカバー体として可撓性を有するカバー体が採用され、このカバー体の可撓性は、前記洗浄ブラシを壁面に押し付けた際、先端部が外方若しくは内方に撓み変形して壁面と先端部とに隙間が生じない可撓性に設定されていることを特徴とする壁面洗浄装置。
【請求項３】
請求項１，２いずれか１項に記載の壁面洗浄装置において、前記洗浄ブラシは、回動軸の周面に毛部材が放射状態で設けられた構成であり、該回動軸は、洗浄する壁面に対して略平行な面上に配設されるように構成されていることを特徴とする壁面洗浄装置。
【請求項４】
請求項３記載の壁面洗浄装置において、洗浄ブラシは複数であり、各洗浄ブラシの回動軸は基体の表面部中央位置から放射状態に設けられていることを特徴とする壁面洗浄装置。
【発明の詳細な説明】
【技術分野】
【０００１】
本発明は、従来にない画期的な壁面洗浄装置に関するものである。
【背景技術】
【０００２】
従来から、オフィスビルや高層マンションなどの建築物の壁面の洗浄は、洗浄水を建築物の壁面に吹き付けて行うのが一般的であるが、この洗浄水による吹付けによっても汚れの落ちが不完全であった場合、タワシやデッキブラシなどの洗浄具で壁面を擦ることで汚れを落としている。
【発明の開示】
【発明が解決しようとする課題】
【０００３】
ところが、この壁面の擦り作業は、前述したように作業者の手作業である為、非常に重労働であって作業効率が悪く、しかも、壁面を擦った際に散った洗浄水がそのまま風にあおられて建築物の周囲に飛散したり、落下したりしてしまうなどの問題点がある（この洗浄水の飛散に対しては、建築物全体をネットで覆ったり、下方に水受け板を設けたりするなどの水よけ構造体を設けているが、コスト面及び作業効率の面において問題がある。）。
【０００４】
本出願人は、上述の問題点に着目し、極めて商品価値の高い画期的な壁面洗浄装置を開発した。
【課題を解決するための手段】
【０００５】
添付図面を参照して本発明の要旨を説明する。
【０００６】
建築物の壁面１を洗浄するためのものであって、基体３の表面部には回動する洗浄ブラシ４が設けられ、また、基体３の裏面部には握持部２が設けられ、洗浄ブラシ４の周囲にはカバー体５が設けられ、洗浄ブラシ４の洗浄作用部はカバー体５の先端開口部５ａより前方に突出するように構成されていることを特徴とする壁面洗浄装置に係るものである。
【０００７】
また、建築物の壁面１を洗浄するためのものであって、基体３の表面部には回動する洗浄ブラシ４が設けられ、また、基体３の裏面部には握持部２が設けられ、洗浄ブラシ４の周囲にはカバー体５が設けられ、このカバー体５として可撓性を有するカバー体５が採用され、このカバー体５の可撓性は、前記洗浄ブラシ４を壁面１に押し付けた際、先端部が外方若しくは内方に撓み変形して壁面１と先端部とに隙間が生じない可撓性に設定されていることを特徴とする壁面洗浄装置に係るものである。
【０００８】
また、請求項１，２いずれか１項に記載の壁面洗浄装置において、前記洗浄ブラシ４は、回動軸４ａの周面に毛部材４ｂが放射状態で設けられた構成であり、該回動軸４ａは、洗浄する壁面１に対して略平行な面上に配設されるように構成されていることを特徴とする壁面洗浄装置に係るものである。
【０００９】
また、請求項３記載の壁面洗浄装置において、洗浄ブラシ４は複数であり、各洗浄ブラシ４の回動軸４ａは基体３の表面部中央位置から放射状態に設けられていることを特徴とする壁面洗浄装置に係るものである。
【発明の効果】
【００１０】
本発明は上述のように構成したから、壁面を綺麗に洗浄することができ、しかも、この壁面洗浄で使用する例えば洗浄水が周囲に飛散するのを防止することができるなど従来にない作用効果を発揮する画期的な壁面洗浄装置となる。
【発明を実施するための最良の形態】
【００１１】
好適と考える本発明の最良の形態を、図面に基づいて本発明の作用効果を示して簡単に説明する。
【００１２】
本発明は、例えばオフィスビルや高層マンションなどの建築物の壁面１を洗浄する際、握持部２を握持して洗浄ブラシ４を壁面１に当接状態とし、この状態で該洗浄ブラシ４が回動することで壁面１に付着した汚れを擦り落とすことができるものである。
【００１３】
従って、壁面１に付着した汚れを落とす擦り作業が回動する洗浄ブラシ４によって簡易且つ迅速に行われるから、前述した従来から行われていた手作業に比し作業が楽に行え作業効率が飛躍的に向上し得ることになり、しかも、仕上がりが非常に良好になる（手作業では擦った場所にムラが生じて仕上がりが悪くなり易い。）。
【００１４】
ところで、毛部材４ｂを設けた洗浄ブラシ４を採用すると洗浄作用部は毛部材４ｂであり、壁面１に押し付けた際に撓むことになるから、この洗浄ブラシ４を壁面１に押し付けた際、前記カバー体５の先端が壁面１に当接して例えば洗浄水が周囲に飛散する隙間が生じることが可及的に防止されることになる。
【００１５】
従って、例えば壁面１の洗浄の際に使用される洗浄水の飛散を確実に防止することができるから、洗浄水の飛散による周囲への迷惑を確実に回避することができることになる。
【００１６】
また、洗浄ブラシ４の周囲に設けられるカバー体５として可撓性を有するカバー体５を採用し、このカバー体５の可撓性は、洗浄ブラシ４を壁面１に押し付けた際、先端部が外方若しくは内方に撓み変形して壁面１と先端部とに隙間が生じない可撓性に設定すると、洗浄ブラシ４を壁面１に押し付けた際には、常にカバー体５の先端部が壁面１に当接して該壁面１と先端部とに隙間が生じない状態となるから、確実に洗浄水の飛散が防止される状態が得られ、洗浄水の飛散による周囲への迷惑を確実に回避することができることになる。
【実施例】
【００１７】
本発明の具体的な実施例について図面に基づいて説明する。
【００１８】
本実施例は、建築物の壁面１を洗浄するためのものであって、基体３の表面部には洗浄ブラシ４が設けられ、また、基体３の裏面部には握持部２が設けられ、洗浄ブラシ４の周囲にはカバー体５が設けられたものである。
【００１９】
以下、本実施例に係る構成各部について詳細な説明をする。
【００２０】
基体３は、図１，２に図示したように適宜な透明樹脂製の部材（アクリル）を板状に形成したものであり、その裏面部の左右位置に金属製のコ字状部材を付設して握持部２が設けられている。従って、この基体３は透明故に、握持部２を握持した裏面部側から表面部側の様子が看取されることになる。
【００２１】
また、基体３は、その表面部に４つの洗浄ブラシ４が設けられている。
【００２２】
この４つの洗浄ブラシは、図１，２に図示したように夫々回動軸４ａの周面に可撓性を有する毛部材４ｂを放射状態に設けたローラ構造であり、基体３の正面部所定位置に突設された対向する軸受部６間に回動軸４ａが回動自在に架設され、基体３の中央を中心とする９０度間隔で放射方向にして正面視Ｘ字状に配設され、洗浄する壁面１に対して略平行な面上に配設されている。
【００２３】
また、各洗浄ブラシ４の回動軸４ａの先端部には、傘歯車７が設けられており、この各傘歯車７は基体３に設けられた傘歯車８と直交状態で歯合しておりべベルギア構造に構成されている。
【００２４】
この傘歯車８は、基体３の表面部中央位置に設けられ、その基端側の軸部８ａが基体３を貫通して該基体３の裏面部側に突出状態に設けられており、この軸部８ａは回動装置９に接続される。
【００２５】
この回動装置９は、電気モーター９ａに前記傘歯車８の軸部８ａに接続される回動伝達部材９ｂ（ワイヤー）を突設したものであり、後述するゴンドラ体10の正面位置に取り付けられる。
【００２６】
従って、この回動装置９を作動させると、傘歯車８が回動し、この傘歯車８の回動により四つの傘歯車７も回動することになり、各洗浄ブラシ４は回動することになる。更に具体的には、各洗浄ブラシ４は９０度間隔で放射方向に配設されているから、対向する洗浄ブラシ４の回動方向は逆方向になり、よって、それだけ良好な洗浄が行われることになる。
【００２７】
また、回動装置９としては、図４に図示したように洗浄ブラシ４に連設される大歯車８の基端側の軸部８ａに電気モーター９ａを直結したタイプも考えられる。符号９ｃは電気コード、17は回動装置９のＯＮ・ＯＦＦスイッチである。
【００２８】
従って、この直結タイプであれば、前述した電気モーター９ａから延設される回動伝達部材９ｂが不要となる為、作業者はハンドル２を持ってより一層自由な動きが可能となり、よって、本実施例を上下左右方向に移動させながら楽に且つ良好な洗浄作業が行えることになる。
【００２９】
また、基体３は、その表面部にカバー体５が設けられている。
【００３０】
このカバー体５は、適度な可撓性を有する樹脂製の部材を帯状に形成したものであり、洗浄ブラシ４の周囲を覆うように基体３の外周縁部に突設されている。
【００３１】
また、カバー体５は、先端開口部５ａが基端よりも径大に設けられており、カバー体５のこの先端部を壁面１に押し付けた際、外方に撓み変形した状態となり、基体３とともに洗浄ブラシ４の周囲を覆う密閉空間を形成する。また、僅かな突出で且つ撓むからカバー体５の先端を確実に壁面１に当接させることができる。
【００３２】
また、このカバー体５の基体３からの突出量は、側方から見て先端開口部５ａから洗浄ブラシ４の洗浄作用部（毛部材４ｂ）が僅かに突出するように設定されている。この構成から、壁面１を良好に洗浄することができ、カバー体５の先端を壁面１に当接させると洗浄水が飛散することがない。尚、カバー体５は撓む為、洗浄ブラシ４はカバー体５の先端開口部５ａから突出せず没入した状態でも良い。
【００３３】
以上の構成から、洗浄ブラシ４の毛部材４ｂが可撓性を有する為に撓み、よって、カバー体５の先端部は壁面１に当接し、しかも、カバー体５が撓むからより一層良好な密閉状態が得られることになるなど、本実施例では、洗浄水の飛散を防止するためにカバー体５の先端部が壁面１に当接する為の条件を種々具備している。
【００３４】
尚、洗浄ブラシ４を配設する軸受部６に適宜なクッション材を設けて、該洗浄ブラシ４を突没方向へ移動させるように構成しても良い。
【００３５】
また、基体３には、洗浄液噴射部19が設けられている。
【００３６】
この洗浄液噴射部19は、図１〜４に図示したように基体３の表面部所定位置に突設される噴射ノズル20と、この噴射ノズル20の基端部に接続されて基体３の裏面部から突設されるホース21に接続されるポンプ装置22とで構成されている。
【００３７】
この噴射ノズル20は、調節部20ａを軸方向に回動させることで洗浄液の噴射状態をミスト状態やシャワー状態やストレート状態などに切り替えられるように構成されている。
【００３８】
ポンプ装置22は、図４に図示したように洗浄液収納容体22ａの上部に設けたハンドル22ｂを上下移動させることで、該洗浄液収納容体22ａ内を加圧し得るように構成されており、手動式加圧ポンプとして構成されている。
【００３９】
また、本実施例では、ホース21の途中位置にして基体３の裏面部に噴射操作部23が設けられており、この噴射操作部23は、スイッチ23ａを押すことで内部の開閉弁（図示省略）を開閉し得るように構成されている。
【００４０】
従って、この噴射操作部23を必要に応じて操作することで圧縮された洗浄液の噴出状態・噴射停止状態を切り替え操作することができる。
【００４１】
また、本実施例の壁面洗浄装置は、壁面１を洗浄する壁面洗浄作業に適した専用のゴンドラ体10上において使用される。
【００４２】
ゴンドラ体10は、図３に図示したように前後方向に所定巾及び左右方向に所定長さを有する方形状の足場部10ａの周囲にフェンス部10ｂを立設状態に設けている。
【００４３】
この背面側のフェンス部10ｂには、その上部に立設部11ａと、この立設部11ａから水平方向に突出するハンガー部11ｂとから成る枠体11が設置されており、この枠体11は、本実施例の壁面洗浄装置をバランサー12を介して吊り下げるものである。尚、この枠体11は、ゴンドラ体10の全体を被覆する被覆部材としてのネット（図示省略）を係止するためにも用いられるものである。
【００４４】
前記バランサー12は、滑車16を介して枠体11の左右長さ方向にスライドし得るように構成されており、よって、本実施例の壁面洗浄装置は左右方向に移動し得るように構成されている。
【００４５】
また、左右側のフェンス部10ｂ夫々に駆動装置13（モーター）が設けられており、この駆動装置13には建築物の屋上から地面まで垂設されるワイヤー14が連設せしめられ、この駆動装置13を駆動させることで、ゴンドラ体10はワイヤー14に沿って昇降し得るように構成され、よって、ゴンドラ体10は建築物の壁面１から所定間隔離れた位置を昇降し得ることになる。
【００４６】
また、ゴンドラ体10は、その正面側のフェンス部10ｂに前述した回動装置９に係る電気モーター９ａを設置する設置部15が設けられており、この設置部15は、フェンス部10ｂの左右長さ方向に架設されるレール部材15ａに摺動部材15ｂを設けた構造であり、前述した本実施例の壁面洗浄装置の左右方向への移動に伴い回動装置９も移動し得ることになる。
【００４７】
以上の構成からなる本装置を使用して壁面洗浄作業を行う場合を説明する。
【００４８】
まず、この壁面洗浄作業は、壁面１に沿って昇降するゴンドラ体10に作業者が乗って行われる。具体的には、壁面１に洗浄水を吹付けて付与する洗浄水付与工程と、洗浄剤を塗布する洗浄剤塗布工程と、再び洗浄水を吹付けて壁面に浮いた汚れを洗い流す仕上げ工程を経て行われるが、この洗浄水付与工程及び仕上げ工程における壁面１に洗浄水を噴射される際には、本出願人が提案する特願２００２−２５６９２３号「液体噴射装置」において行い、この仕上げ工程時に洗浄剤の塗布によっても落ちなかった汚れを落とす際に本装置を使用する。
【００４９】
具体的には、図３に図示したように握持部２を握持して洗浄ブラシ４を壁面１に押し付け、この状態で洗浄ブラシ４を回動させることで壁面１を擦って汚れを落とすことができる。
【００５０】
この際、洗浄ブラシ４の周囲を覆うカバー体５は外方に撓み変形した状態で壁面１に当接しており、洗浄ブラシ４の回動によって飛散しようとする洗浄水や洗浄剤などの周囲への飛散が防止されている。
【００５１】
本実施例は上述のように構成したから、壁面１に付着した汚れを落とす擦り作業が回動する洗浄ブラシ４によって簡易且つ迅速に行われるから、前述した従来から行われていた手作業に比し作業が楽に行え作業効率が飛躍的に向上し得ることになり、しかも、仕上がりが非常に良好になる。
【００５２】
また、本実施例は、洗浄ブラシ４の洗浄作用部は毛部材４ｂであり、壁面１に押し付けた際に撓むことになるから、この洗浄ブラシ４を壁面１に押し付けた際、前記カバー体５の先端が壁面１に当接して例えば洗浄水が周囲に飛散する隙間が生じることが可及的に防止されることになる。
【００５３】
また、本実施例は、洗浄ブラシ４の周囲に設けられるカバー体５として可撓性を有するカバー体５を採用し、このカバー体５の可撓性は、洗浄ブラシ４を壁面１に押し付けた際、先端部が外方若しくは内方に撓み変形して壁面１と先端部とに隙間が生じない可撓性に設定されているから、洗浄ブラシ４を壁面１に押し付けた際には、常にカバー体５の先端部が壁面１に当接して該壁面１と先端部とに隙間が生じない状態であるから、確実に洗浄水の飛散が防止される状態が得られ、洗浄水の飛散による周囲への迷惑を確実に回避することができることになり、よって、従来のように建築物全体をネットで覆うために足場を組んだり、ネットを張ったり、その他にも水受け板を設けたりするなどの水よけ構造体の設置作業は不要となり、壁面洗浄作業が非常にコスト安であり、しかも、飛躍的に壁面洗浄作業全体の工期を短縮することができることになる。
【００５４】
また、本実施例は、洗浄ブラシ４は、回動装置９の作動により回動することになり、更に、洗浄ブラシ４は、該洗浄ブラシ４の長さ方向が洗浄する壁面１に対して略平行状態となるように基体３の表面部に横設されているから、例えば目地のある壁面１を洗浄する際、洗浄ブラシ４の毛部材４ｂの先端が目地に良好に入り込んで汚れを掻き出すことになるなど、壁面１を洗浄するものとして最適なものとなる。
【００５５】
また、本実施例は、４つの洗浄ブラシ４が９０度間隔で放射方向に配設され、対向する洗浄ブラシ４同士は正面方向から見て逆方向に回動するように構成されているから、それだけ種々の方向への回動が行われることで良好な洗浄が行われることになる。即ち、本装置を単なる上下左右移動させるだけでも複雑な方向へのブラッシング効果が得られることになるから、楽に良好な洗浄が行われることになる。
【００５６】
また、本実施例は、４つの洗浄ブラシ４が基体３の正面から見て十字状に配されるのではなく、Ｘ字状に配されているから、より一層前述したような複雑な方向へのブラッシング効果が得られることになり、しかも、例えば壁面１の目地を洗浄しようとする際などには、握持部２を持つ手を約４５度傾けるだけで洗浄ブラシ４を縦方向・横方向に向けることができることになり、該目地を良好に洗浄することができる。
【００５７】
また、本実施例は、ゴンドラ体10を使用することでより一層良好な洗浄作業が行えることになり、また、ゴンドラ体10には該ゴンドラ体10の全体を覆うネットを設けたから、万一洗浄水が飛散しても確実に防止することができ、しかも、周りを見えにくくすることで作業者に安心感を与え良好な作業環境を提供することができ、そして更に、作業が外部から見られることなく非常に体裁が良いことにもなる。
【００５８】
また、本実施例は、例えばバケツに入れた洗浄剤や洗浄水を雑巾等に浸して壁面１に付与する場合に比し、常に新しい（綺麗な）洗浄液や洗浄水を壁面１に付与することができ、しかも、バケツを用意する必要もない。
【００５９】
尚、本発明は、本実施例に限られるものではなく、各構成要件の具体的構成は適宜設計し得るものである。
【図面の簡単な説明】
【００６０】
【図１】本実施例に係る要部を説明する側断面図である。
【図２】本実施例に係る要部を説明する正面図である。
【図３】本実施例の使用状態説明図である。
【図４】本実施例の別実施例を示す斜視図である。
【符号の説明】
【００６１】
１  壁面
２  握持部
３  基体
４  洗浄ブラシ
４ａ  回動軸
４ｂ  毛部材
５  カバー体
５ａ  先端開口部
【図１】
2005169261.tif 000003
【図２】
2005169261.tif 000004
【図３】
2005169261.tif 000005
【図４】
2005169261.tif 000006